(57)【要約】 【課題】 付属品の取付を確実に行うことができる付属品付の回路遮断器を提供する。【解決手段】電磁石１には、円柱状の脚６と脚６の軸と直交する面に沿って凸部７が形成され、脚６の端部に互いに反対方向に延びる鍔部８，９が形成され脚６と共にこの電磁石１の取付部を形成している。この電磁石１は、水平方向に位置するフレーム板１０の上面及び下面からその底部と鍔部８，９とで挟むように配置させて取り付けられる。フレーム板１０には電磁石１の鍔部８，９及び脚６との投影形状に一致する取付孔１１と二つのストッパピン１２，１３が設けられている。取付部を取付孔１１に差し込んで回転すると、鍔部８及び鍔部９が２箇所においてフレーム板１０を挟み込むとともに表面板１４の取りつけが可能ちなり、表面板７を取り付けたあとは、凸部７がストッパ１３と表面板１４の直線内面部１６とに挟まれるため、電磁石１が時計方向にも反時計方向にも回転しない。【選択図】 図１
2005085516.tif 000002
【特許請求の範囲】
【請求項１】
フレーム板と、前記フレーム板と直交する面であって該フレームの端縁に沿って設けられる表面板と、前記表面板付近においてフレーム板に取り付けられる着脱自在の付属品を有する回路遮断器において、
前記付属品には前記フレーム板の厚みに相当する長さの円柱脚と前記円柱脚の端部から少なくとも２方向に延びる鍔部とを有する取付部が設けられ、前記フレーム板には前記鍔部側から見たときの前記取付部の投影形状に一致する取付孔が形成され、
前記付属品には、前記取付孔に前記取付部を挿入したとき前記表面板の取付を阻止する位置に前記円柱脚の軸と直交する面に沿って突き出す凸部をさらに設け、
前記フレーム板には、前記フレーム板に取り付けられた表面板の内面と協働して、前記取付孔に挿入したあと回転取付された付属品の前記凸部を挟んで該付属品の回転を阻止する位置に前記付属品のストッパをさらに設けたことを特徴とする付属品付回路遮断器。
【発明の詳細な説明】
【技術分野】
【０００１】
本発明は、付属品付回路遮断器、特に付属品を遮断器本体に取り付ける技術に関する。
【背景技術】
【０００２】
付属品付きの回路遮断器の従来の技術が、特許文献１に記載されている特許公報に開示されている。この公報に開示されている付属品は不足電圧引外し装置であって、回路の電圧が所定値以下になったとき回路遮断器を自動的にＯＦＦにする装置である。この不足電圧引外し装置は、永久磁石と電磁石とを用いており、常時は、引外ばねの作用力に抗して永久磁石の吸引力で電磁石の可動コアーを固定コアーに吸引させている。そして、電圧が所定値以下になったとき、永久磁石の磁束と反対方向の磁束が発生するような電流を電磁石のコイルに通電して吸引力を減少させ、引外しばねの作用により可動コアーを移動させ、引外し機構を動作させて回路遮断器をＯＦＦにする構成となっている。
回路遮断器は保守点検作業をすることがあり、このような不足電圧引外し装置を誤って手で可動コアーを吸着させた状態で保守点検作業を終了すると、電気回路において回路が無電圧であるにもかかわらず回路遮断器をＯＮにすることができることとなり、その結果、電気回路に不具合が生じることがある。特許文献１に記載の公報は、このような問題を解決するための発明を記載したものであって、この不足電圧引外し装置を回路遮断器の表面付近に配置し、手でリセットされたときに表面カバー側に突き出るレバーを設け、レバーが表面カバーの内側と当接して表面カバーの取り付けができないような構成にして、作業者の注意を促すようにしたものである。
【特許文献１】特開平１１−２１３８５１号公報
【発明の開示】
【発明が解決しようとする課題】
【０００３】
この不足電圧引外し装置に限らず回路遮断器には種々の付属品が取り付けられる。このような付属品は一般的にねじでフレーム部材に取り付けられるが、当初の組込みや点検時の組込み時において、ねじの締め付け忘れなどの作業不良が発生することがあり、付属品の所定の機能を満足できないことがある。
したがって、本願発明の目的は、付属品の取付を確実に行うことができる付属品付の回路遮断器を提供することにある。
【課題を解決するための手段】
【０００４】
上記の問題を解決するために、請求項１の発明は、フレーム板と、フレーム板と直交する面であって該フレームの端縁に沿って設けられる表面板と、表面板付近においてフレーム板に取り付けられる着脱自在の付属品を有する回路遮断器において、付属品にはフレーム板の厚みに相当する長さの円柱脚と円柱脚の端部から少なくとも２方向に延びる鍔部とを有する取付部が設けられ、フレーム板には鍔部側から見たときの取付部の投影形状に一致する取付孔が形成され、付属品には、取付孔に取付部を挿入したとき表面板の取付を阻止する位置に円柱脚の軸と直交する面に沿って突き出す凸部をさらに設け、フレーム板には、フレーム板に取り付けられた表面板の内面と協働して、取付孔に挿入したあと回転取付された付属品の凸部を挟んで該付属品の回転を阻止する位置に付属品のストッパをさらに設ることとしている。
【発明の効果】
【０００５】
本発明は、上記のような構成により、付属品の取付部をフレーム板の取付孔に挿入して回転するだけで付属品の円柱脚取付部と鍔部との間で付属品を保持できるため付属品を簡単に取り付けることができるとともに、付属品が回転されていない状態では表面板を取り付けることができないため作業者に取り付けの不完全さを認識させることができ、さらに、表面板を取り付けた後は表面板の内面とストッパとに挟まれて付属品が回転しないため品質の安定した付属品付回路遮断器を提供できるという効果を奏する。
【発明を実施するための最良の形態】
【０００６】
本発明の実施の形態を、図１ないし図３に示されている実施例において説明する。図３は付属品の一種である電磁石１の断面図であって、固定コアー２と、動作ピン３を有し図示されていないばねによって上方に付勢されている可動コアー４と、コイル５を有し、コイル５が励磁されたとき可動コアー４が下方に移動し、動作ピン３が例えばトリップ機構を作動させて回路遮断器をＯＦＦにする動作をするようになっている。この電磁石１には、その底部に円柱状の脚６と脚６の軸と直交する面に沿って凸部７が形成され、脚６の端部に互いに反対方向に延びる鍔部８，９が形成され脚６と共にこの電磁石１の取付部を形成している。この電磁石１は、水平方向に位置するフレーム板１０の上面及び下面からその底部と鍔部８，９とで挟むように配置させて取り付けられる。すなわち、脚６の長さはフレーム板１０の板圧に相当する長さとなっている。
【０００７】
図１を参照して、フレーム板１０には電磁石１の鍔部８，９及び脚６との投影形状に一致する取付孔１１と二つのストッパピン１２，１３が設けられている。図１は、取付部を取付孔１１に差し込んだだけの状態を示す図３を下方から見た図である。図１より明らかなように、鍔８と鍔９は形状が異なるため図１において上下逆に電磁石１を取り付けることはない。また、円弧状に形成されている凸部７の右端がストッパ１２と当接しているため電磁石１が時計方向に回転されることはない。この状態で表面カバー１４をフレーム板１０に取り付けようとしても、凸部７と表面カバー１４の円弧状の内面１５が当接し、表面カバー７の直線内面部１６がフレーム板１０の縁部１７に接しないため、取りつけることができない。
【０００８】
図１の状態から電磁石１を反時計方向に回転させると、図２のごとく、凸部７の左端がストッパ１３と接する。この状態では、鍔部８及び鍔部９が２箇所においてフレーム板１０を挟み込むため電磁石１が安定して保持される。また、凸部７の右端はフレーム板１０の縁部１７と略一致する部分に位置するため、表面板１４の直線内面部１６がフレーム板１０の縁部に沿うように接するため表面板１４の取りつけが可能である。さらに、表面板７を取り付けたあとは、凸部７がストッパ１３と表面板１４の直線内面部１６とに挟まれるため、電磁石１が時計方向にも反時計方向にも回転しない。
なお、本実施例では、付属品として電磁石を例示しているが、電磁石に限られるものではない。
【図面の簡単な説明】
【０００９】
【図１】本発明による付属品付回路遮断器の実施例の要部を示す図であって,電磁石１を装着しただけの図である。
【図２】電磁石１を装着して回転させて固定した図１相当図である。
【図３】図１及び図２の電磁石の側面断面図である。
【符号の説明】
【００１０】
１  電磁石
６  脚
７  凸部
８，９  鍔部
１０  フレーム板
１１  取付孔
１２，１３  ストッパ
１４  表面板
【図１】
2005085516.tif 000003
【図２】
2005085516.tif 000004
【図３】
2005085516.tif 000005